(57)【要約】【課題】端末装置を回動操作する際に端末装置が載置物に干渉することを防止できる端末装置支持テーブルを提供すること。【解決手段】周囲に複数の客席５ｃが設けられる天板５ａと、使用者が注文情報を入力する入力部１０ａ及び入力部１０ａを設けた筐体１０ｂを有する端末装置１０と、端末装置１０を天板５ａに対し回動可能とする回動部１０ｆとを備え、端末装置１０を回動することで客席１０ｃに着座する各使用者が天板５ａ上でアクセス可能な位置に、端末装置１０を配置した端末装置支持テーブル５であって、端末装置１０の筐体１０ｂは、端末装置１０の入力部１０ａの回動軌跡Ｙを含むように形成された曲面１０ｃを有している。【選択図】図５
2014171684.tif 000002
【特許請求の範囲】
【請求項１】
周囲に複数の客席が設けられる天板と、使用者が注文情報を入力する入力部及び該入力部を設けた筐体を有する端末装置と、該端末装置を前記天板に対し回動可能とする回動部とを備え、前記端末装置を回動することで前記客席に着座する各使用者が前記天板上でアクセス可能な位置に、前記端末装置を配置した端末装置支持テーブルであって、
前記端末装置の前記筐体は、該端末装置の前記入力部の回動軌跡を含むように形成された曲面を有していることを特徴とする端末装置支持テーブル。
【請求項２】
前記端末装置は、前記客席に着座する各使用者が前記天板上でアクセス可能な位置に前記入力部が回動されたときに、前記天板に係合する係合部を有していることを特徴とする請求項１に記載の端末装置支持テーブル。
【請求項３】
前記天板の上面に開口部が形成されており、前記端末装置は、該端末装置の少なくとも一部が前記天板の上面よりも下方に進入するように前記開口部内に回動されることを特徴とする請求項１または２に記載の端末装置支持テーブル。
【請求項４】
前記開口部に、前記端末装置の背面側から延びるコードを挿通する挿通孔が、前記端末装置の回動分を許容して開孔形成されていることを特徴とする請求項３に記載の端末装置支持テーブル。
【請求項５】
前記開口部に、前記筐体の曲面に面接触する凹曲面が形成されていることを特徴とする請求項３または４に記載の端末装置支持テーブル。
【発明の詳細な説明】
【技術分野】
【０００１】
本発明は、主に飲食店等において注文を行う際に用いられる端末装置支持テーブルに関する。
【背景技術】
【０００２】
従来、例えば、搬送機構を備えた寿司店舗内の各客席には、タッチパネル式等のディスプレイ装置（端末装置）が搬送機構側に固着されて設置されており、このディスプレイ装置の操作部を操作することで注文を行うようにしたものがある（例えば、特許文献１参照）。しかしながら、主に家族連れ等の複数客用の脚付テーブルにおいては、ディスプレイ装置が搬送機構側に固着されているため、搬送機構側に着座した客が複数名分の注文を一括で注文操作しなければならなかった。
【０００３】
また、卓上を移動できるポータブルの端末装置を用い、複数の客の各自が適宜のタイミングで自由に注文操作を行うようにすることが考えられたが、前記ポータブルの端末装置にあっては、端末装置の通信手段として飲食店舗内に無線環境を整備することが不可欠であるとともに、客と客とが端末装置を手渡しで移動させる際に、端末装置を落下させて破損させるという問題もあったため、端末装置を卓上における各々の客がいずれもアクセス可能な位置に固定したいという要望があった。
【０００４】
そこで、洗面化粧台、ダイニングテーブルなどの天板を備えるカウンターに対して、天板上に取付けられる中空の第１の支持棒と、第１の支持棒に上下移動及び水平回動できるように取付けられる第２の支持棒と、から成る支持部を設け、その第２の支持棒の側面に端末機器（端末装置）を固定できる固定部を連結した端末機器の支持構造が開発されており（例えば、特許文献２参照）、例えば、この支持構造を飲食店舗内に用いることにより、客が第２の支持棒を操作して適宜の位置に端末機器を配置し、使用者が個別にアクセスできるようにすることが考えられた。
【先行技術文献】
【特許文献】
【０００５】
【特許文献１】特開２００７−２７５４５４号公報（第４頁、第１図）
【特許文献２】特開２００７−１４３６６３号公報（第６頁、第７図）
【発明の概要】
【発明が解決しようとする課題】
【０００６】
しかしながら、特許文献２にあっては、天板上における端末機器の位置は、その回動領域内で常に変動可能となっているため、端末機器を回動させた際に、回動領域内に置かれた飲食物等の載置物に当該端末機器が干渉してしまう問題があった。
【０００７】
本発明は、このような問題点に着目してなされたもので、端末装置を回動操作する際に端末装置が載置物に干渉することを防止できる端末装置支持テーブルを提供することを目的とする。
【課題を解決するための手段】
【０００８】
前記課題を解決するために、本発明の端末装置支持テーブルは、
周囲に複数の客席が設けられる天板と、使用者が注文情報を入力する入力部及び該入力部を設けた筐体を有する端末装置と、該端末装置を前記天板に対し回動可能とする回動部とを備え、前記端末装置を回動することで前記客席に着座する各使用者が前記天板上でアクセス可能な位置に、前記端末装置を配置した端末装置支持テーブルであって、
前記端末装置の前記筐体は、該端末装置の前記入力部の回動軌跡を含むように形成された曲面を有していることを特徴としている。
この特徴によれば、端末装置の入力部が端末装置の筐体の曲面に含まれる回動軌跡を描いて、各使用者がアクセス可能な位置まで回動するため、各使用者が客席に着座したまま端末装置を回動し入力部を各自の手前に向ける際に、端末装置が天板上に載置した食器等の載置物と接触し干渉することなく、端末装置を用いた注文操作の利便性が格段に向上するばかりか、この曲面を持つ筐体により、各使用者が端末装置の回動方向を予見することができる。
【０００９】
本発明の端末装置支持テーブルは、
前記端末装置は、前記客席に着座する各使用者が前記天板上でアクセス可能な位置に前記入力部が回動されたときに、前記天板に係合する係合部を有していることを特徴としている。
この特徴によれば、端末装置が係合部により天板に係合し安定した状態で、各使用者が入力部を入力操作することができる。
【００１０】
本発明の端末装置支持テーブルは、
前記天板の上面に開口部が形成されており、前記端末装置は、該端末装置の少なくとも一部が前記天板の上面よりも下方に進入するように前記開口部内に回動されることを特徴としている。
この特徴によれば、回動する端末装置の少なくとも一部を開口部内に逃がすことで、天板上に食器等を載置する載置領域が端末装置により侵食されることなく広域を確保できる。
【００１１】
本発明の端末装置支持テーブルは、
前記開口部に、前記端末装置の背面側から延びるコードを挿通する挿通孔が、前記端末装置の回動分を許容して開孔形成されていることを特徴としている。
この特徴によれば、端末装置の回動位置によらず、端末装置の背面側から延びるコードを、開口部に形成された挿通孔を介して逃がすことができる。
【００１２】
本発明の端末装置支持テーブルは、
前記開口部に、前記筐体の曲面に面接触する凹曲面が形成されていることを特徴としている。
この特徴によれば、端末装置の筐体の曲面と開口部の凹曲面とが面接触することで、回動する端末装置と天板との間に隙間を生じさせることなく、夾雑物の混入を防止することができる。
【図面の簡単な説明】
【００１３】
【図１】実施例１における寿司店舗内を示す平面図である。
【図２】飲食テーブルを示す斜視図である。
【図３】同じく図２の側断面図である。
【図４】注文端末と天板との接続状態を示す分解斜視図である。
【図５】注文端末の回動軌跡を示す側断面図である。
【図６】注文端末と厨房用端末との接続状態を示す平面図である。
【図７】（ａ）は注文端末の表示部の向きを変更する前を示す斜視図であり、（ｂ）は、注文端末の表示部の向きを変更した後を示す斜視図である。
【図８】（ａ）は、枠体に注文端末が回動可能に取付けられた態様を示す斜視図であり、（ｂ）は、同じく側断面図である。
【図９】実施例２におけると天板との接続状態を示す分解斜視図である。
【図１０】実施例２における飲食テーブルを示す側断面図である。
【図１１】（ａ）は、飲食テーブルの変形例を示す斜視図であり、（ｂ）は、同じく平面図である。
【図１２】（ａ）は、飲食テーブルの別の変形例を示す斜視図であり、（ｂ）は、同じく平面図である。
【発明を実施するための形態】
【００１４】
本発明に係る端末装置支持テーブルを実施するための形態を実施例に基づいて以下に説明する。
【実施例１】
【００１５】
実施例１に係る端末装置支持テーブルにつき、図１から図７を参照して説明する。図１に示すように、飲食物搬送装置１は、例えば回転寿司店等の飲食店において、料理人が調理を行う厨房Ｃと飲食客が飲食を行う店内Ｋとに亘って平面視で略Ｌ字状に形成された支持台２が設けられており、飲食客から注文を受けた料理人が調理した寿司３を寿司皿に載置し、支持台２上を搬送させて提供することができる装置である。
【００１６】
支持台２の外壁には、飲食カウンター４と端末装置支持テーブルとしての飲食テーブル５とが固定されて配備されている。この飲食カウンター４は、複数の客席４ａを備えており、各々の客席４ａの正面側には、カウンター用注文端末４ｂが固定して配備されている。
【００１７】
また、図１及び図２に示すように、支持台２の上部には、互いに相対移動可能に連結された公知のクレセントチェーンコンベアによってほぼ一定速度で移動するように設けられた循環搬送路６と、循環搬送路６の直上に設けられ、前述した飲食客が注文した寿司３を搬送する注文搬送路７と、が設けられている。また、店内Ｋと厨房Ｃとの間には、店内Ｋと厨房Ｃとを隔てる壁Ｗが設けられており、循環搬送路６及び注文搬送路７に載置された寿司３は、壁Ｗに設けられた開口８を通過して店内Ｋに搬送されることで飲食客に提供可能になっている。
【００１８】
図２に示されるように、この注文搬送路７は、寿司３を載置した状態で循環搬送路６の上方を走行する搬送トレー７ａと、注文搬送路７の略全長に沿って搬送トレー７ａを注文搬送路７上で走行させるためのレール７ｂと、を備えており、レール７ｂは、支持台２の長手方向の略全長に亘って所定間隔毎に設けられる支柱９により支持されている。また、レール７ｂは、搬送トレー７ａを駆動させる図示しない駆動手段を備えており、当該駆動手段により飲食客が注文した寿司３を載置した搬送トレー７ａを飲食客に搬送することが可能となっている。
【００１９】
また、図２及び図３に示されるように、飲食テーブル５は、天板５ａと、天板５ａを支持する脚部５ｂと、複数の客席５ｃとが設けられており、例えば家族連れ等のグループ客が座ることができるようになっている。天板５ａには、その略中央部に天板５ａを上下方向に貫通する開口部５ｄが形成されており、この開口部５ｄには、厨房Ｃに注文情報を送信する端末装置としての注文端末１０が配備されている。詳しくは、開口部５ｄを介して注文端末１０の一部が天板５ａの上面よりも下方に進入した状態で配備されている。
【００２０】
次いで、注文端末１０の構造について具体的に説明する。図２ないし図４に示されるように、この注文端末１０は、使用者が注文情報を入力する入力部１０ａと、入力部１０ａを設けた筐体１０ｂと、を有している。この入力部１０ａは、当該入力部１０ａの傾きを検知する加速度センサを備えており、この加速度センサにより重力方向を検知するようになっている。したがって、入力部１０ａは、その入力部１０ａ自体の上下が逆にされても表示される画像を常に正立像として変換して表示処理できるようになっている。
【００２１】
筐体１０ｂは、側面視で円弧状の曲面１０ｃを有しているとともに、曲面１０ｃには断面視凹形状の凹部１０ｄが形成されており、この凹部１０ｄの外縁部には、曲面１０ｃの径方向に張り出す係合部としての係合片１０ｅ，１０ｅが設けられている。また、筐体１０ｂの両側面には、曲面１０ｃの円弧中心軸であって水平に延びる回動部としての回動軸１０ｆが設けられており、この回動軸１０ｆが開口部５ｄの内面に設けられた嵌合孔５ｅに回動自在に挿入されることにより、回動軸１０ｆ周りに注文端末１０が回動可能になっている。
【００２２】
注文端末１０が回動する際には、図５に示されるように、入力部１０ａが回動軸１０ｆを中心として描く仮想線で示す最大の回動軌跡Ｙは、筐体１０ｂの曲面１０ｃが回動軸１０ｆを中心として描く回動軌跡Ｚ内に含まれるようになっている。また、図７に示されるように、係合片１０ｅ，１０ｅは、客席５ｃに着座する各使用者が天板５ａ上でアクセス可能な位置に入力部１０ａが回動されたときに、天板５ａの上面における開口部５ｄの縁部に係合するようになっている。
【００２３】
また、図４に示されるように注文端末１０は、注文端末１０からの注文情報を送信するためのコードとしての通信ケーブル１１を有しており、この通信ケーブル１１は、回動軸１０ｆの内部空間を介して天板５ａの下面に延びている。これにより、通信ケーブル１１が注文端末１０の回動により回動軸１０ｆ等に巻きついたり、開口部５ｄから飲食客に露出したりすることがない。尚、上記した通信ケーブル１１に替えて、若しくは加えて、注文端末に電源を供給するための電源ケーブルを延設しても構わない。
【００２４】
図６に示されるように、厨房Ｃには、飲食テーブル５からの注文情報を受信する厨房用端末１２が設けられており、厨房用端末１２には、注文端末１０から延びる通信ケーブル１１が天板５ａの下面及び支持台２の内部に沿って配設されて接続されている。これにより、飲食客側に通信ケーブル１１を露出させずに注文端末１０と厨房用端末１２とが通信可能となり、店舗内に無線通信環境を必要とせず、注文端末１０からの注文情報を通信ケーブル１１を介して厨房用端末１２に送信することができる。また、カウンター用注文端末４ａから延びる通信ケーブル１１’も同様に支持台２ａの内部に沿って配設されて厨房用端末１２と接続されている。
【００２５】
上述したように、注文端末１０の入力部１０ａが筐体１０ｂの回動軌跡Ｚに含まれる回動軌跡Ｙを描いて、各使用者がアクセス可能な位置まで回動するため、図７に示されるように、各使用者が客席に着座したまま注文端末１０を回動し入力部１０ａを各自の手前に向ける際に、注文端末１０が天板５ａ上に載置した食器等の載置物と接触し干渉することなく、注文端末１０を用いた注文操作の利便性が格段に向上する。さらには、曲面１０ｃを持つ筐体１０ｂの形状により、各使用者が注文端末１０の回動する方向を予見することができる。
【００２６】
さらに、客席５ｃに着座する各使用者が天板５ａ上でアクセス可能な位置に入力部１０ａが回動されたときに、係合片１０ｅ，１０ｅ，により天板５ａに係合し安定した状態となるため、各使用者が入力部１０ａを入力操作することができる。尚、係合部は、必ずしも筐体１０ｂに設けられなくてもよく、回動軸１０ｆに対して設けられていてもよい。
【００２７】
また、図示しないが回動軸１０ｆには、その回動の勢いを減衰させるダンパー機構等を設け、注文端末１０の回動が停止するときに生じる衝撃を前記ダンパー機構により吸収し、客席５ｃに着座する各使用者が天板５ａ上でアクセス可能な位置に入力部１０ａが回動されたときに、注文端末１０が緩やかに停止するようにしてもよい。
【００２８】
また、回動する注文端末１０は、入力部１０ａを除くその一部を開口部５ｄを介して天板５ａ内に逃がしているため、天板５ａ上に食器等を載置する載置領域が注文端末１０により侵食されることなく広域を確保できる。
【００２９】
また、注文端末１０は、開口部５ｄ内の領域に配置されているため、例えば飲食客が食事中にこぼした夾雑物が開口部５ｄを介して内側に入った場合でも、その夾雑物が貫通して床面に落下するようになるため、飲食テーブル５を清潔に保つことができる。尚、この開口部５ｄにおける天板５ａの下面側に着脱可能なトレーなどを設け、夾雑物が前記トレーに溜まるようにしてもよい。これによれば、当該トレーを取り外して容易に掃除することができる。
【００３０】
尚、本実施例１の変形例として、図８（ａ）、（ｂ）に示されるように、注文端末１０を取り囲むように形成された略筒状の枠体１４を天板５ａの上面側に設け、その枠体１４に注文端末１０を回動可能に設置されるとともに、天板５ａに上下に貫通する挿通孔５ｆを設け、注文端末１０の背面側から延びる通信ケーブル１１を挿通孔５ｆに挿通してもよい。このように、注文端末１０は枠体１４内で回動可能となっているため、例えば枠体１４の外周面に天板５ａ上に載置した食器等の載置物と接触しても当該載置物が注文端末１０と干渉することを確実に防止できる。
【実施例２】
【００３１】
次に、実施例２に係る端末装置支持テーブルにつき、図９及び図１０を参照して説明する。尚、前記実施例と同一構成で重複する説明を省略する。
【００３２】
図９に示されるように、天板５１ａの開口部５１ｄは、天板５１ａの上面に開口する有底の凹形状と成っており、筐体１０ｂ’の曲面１０ｃ’に面接触する凹曲面としての接触面５１ｅが形成されている。また、その接触面５１ｅには、周方向に沿って貫通する挿通孔５１ｆが形成されており、注文端末１０’の背面側から延びる通信ケーブル１１が挿通されるようになっている。
【００３３】
図１０に示されるように、注文端末１０’は、筐体１０ｂ’の曲面１０ｃ’が側面視略半円形状を成し、曲面１０ｃ’の周方向の端部同士に渡る面が略矩形状を成しており、その略矩形状の面に入力部１０ａ’が設置されている。また、注文端末１０’は、開口部５１ｄの接触面５１ｅに嵌合するよう載置されるとともに、筐体１０ｂ’の曲面１０ｃ’が開口部５１ｄの接触面５１ｅに沿って摺動しながら回動するようになっている。このように、筐体１０ｂ’の曲面１０ｃ’と開口部５ｄの接触面５１ｅとが面接触することで、回動する注文端末１０’と天板５１ａとの間に隙間を生じさせることなく、夾雑物の混入を防止することができる。尚、本実施例の注文端末１０’の曲面１０ｃ’及び接触面５１ｅの円弧中心軸であって注文端末１０’の仮想の回動軸は、天板５１ａよりも上方に位置している。
【００３４】
また、挿通孔５１ｆは、注文端末１０’の回動に伴う通信ケーブル１１の移動分を許容して弧状に開孔形成されており、これにより注文端末１０’の回動位置によらず、注文端末１０’の背面側から延びる通信ケーブル１１が挿通孔５１ｆを介して天板５１ａの下面に挿通可能となっている。
【００３５】
尚、飲食テーブルの変形例として次のようなものもある。図１１に示されるように、注文端末１０１は、筐体１０１ｂが球体状を成しており、天板５２ａの開口部５２ｄは、平面視で円形状に形成されるとともに、接触面５２ｅが筐体１０１ｂの曲面１０１ｃに沿う凹曲面形状に形成されている。また、開口部５２ｄには、接触面５２ｅの下部に所定の大きさで天板５２ａを貫通する挿通孔５２ｆが形成されており、挿通孔５２ｆを介して通信ケーブル１１が挿通されるようになっている。また、開口部５２ｄには、接触面５２ｅ上に載置された注文端末１０１の回動を許容しながら天板５２ａに注文端末１０１を固定する環状の取付け具１３が取付けられている。
【００３６】
図１１（ａ）に示されるように、注文端末１０１は、筐体１０１ｂの係合片１０１ｅが入力部１０１ａを囲うように設けられており、この係合片１０１ｅが取付け具１３に係合するようになっているため、入力部１０１ａが取付け具１３よりも下方に回り込まないようになっている。また、注文端末１０１が回動しても、その回動に伴う通信ケーブル１１の移動を許容するように挿通孔５２ｆが開口している。このように、注文端末１０１は、ある一定の範囲内で自由な回動方向に回動できるようになっているため、天板を挟んで対向する各々の飲食客が注文端末１０１を手前に回動して入力操作できるばかりか、天板の各辺に沿って隣接する各々の飲食客が注文端末１０１を手前に回動して入力操作できる。
【００３７】
また、端末装置支持テーブルの別の変形例として図１２に示されるように、注文端末１０２は、筐体１０２ｂが円筒形状を成しており、その外周面に形成された凹部１０２ｄに入力部１０２ａが嵌合設置されている。本実施例における入力部１０２ａは、シート状であり湾曲可能な有機ＥＬディスプレイを採用しており、これにより筐体１０２ｂの曲面形状に合わせて設置できるようになっている。
【００３８】
また、天板５３ａには、平面視で筐体１０２ｂよりも小径の円形状を成す開口部５３ｄが形成されており、この開口部５３ｄには、筐体１０２ｂに固着された縦軸の回動軸１０２ｆが回動可能に取付けられる。また、筐体１０２ｂには、注文端末１０２が取り付けられており、注文端末１０２が水平方向に回転するようになっている。さらに、注文端末１０２の通信ケーブル１１は、回動軸１０２ｆ内を通過して天板５３ａの下面に配設されるようになっている。このように、天板５３ａの上部に注文端末１０２が回動可能に設置されていてもよい。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
例えば、端末装置の入力部が天板上でアクセス可能な位置に回動されたときに天板に係合する係合部は、必ずしも設けられなくてもよく、例えば端末装置の入力部は、使用者がアクセスできない開口部の内側まで回動自在と成っており、入力部を一時的に開口部の内側に隠すようにしてもよい。
【００４１】
また、注文端末１０と厨房用端末１２とは必ずしも通信ケーブル１１で接続されるものでなく、例えば注文端末１０に送信機を設け、且つ厨房用端末１２に受信機を設け、無線通信を行えるようにしてもよい。更に、注文端末１０と厨房用端末１２とが相互に送受信可能としてもよい。
【符号の説明】
【００４２】
１                飲食物搬送装置
２                支持台
５                飲食テーブル（端末装置支持テーブル）
５ａ              天板
５ｃ              客席
５ｄ              開口部
５ｆ              挿通孔
１０，１０’      注文端末（端末装置）
１０ａ，１０ａ’  入力部
１０ｂ，１０ｂ’  筐体
１０ｃ，１０ｃ’  曲面
１０ｅ，１０ｅ    係合片（係合部）
１０ｆ            回動軸（回動部）
１１              通信ケーブル（コード）
１２              厨房用端末
５１ａ            天板
５１ｄ            開口部
５１ｅ            接触面（凹曲面）
５１ｆ            挿通孔
５２ａ            天板
５２ｄ            開口部
５２ｅ            接触面（凹曲面）
５２ｆ            挿通孔
５３ａ            天板
５３ｄ            開口部
１０１            注文端末（端末装置）
１０１ａ          入力部
１０１ｂ          筐体
１０１ｃ          曲面
１０１ｅ          係合片（係合部）
１０２            注文端末（端末装置）
１０２ａ          入力部
１０２ｂ          筐体
Ｃ                厨房
Ｋ                店内
Ｗ                壁
Ｙ                回動軌跡
Ｚ                回動軌跡
【図１】
2014171684.tif 000003
【図２】
2014171684.tif 000004
【図３】
2014171684.tif 000005
【図４】
2014171684.tif 000006
【図５】
2014171684.tif 000007
【図６】
2014171684.tif 000008
【図７】
2014171684.tif 000009
【図８】
2014171684.tif 000010
【図９】
2014171684.tif 000011
【図１０】
2014171684.tif 000012
【図１１】
2014171684.tif 000013
【図１２】
2014171684.tif 000014